(57)【特許請求の範囲】
【請求項１】
洗浄槽は、前後に引き出し自在に設けられる下洗浄部と、前記下洗浄部の上方に設けられ本体に固定される上洗浄部とに分割構成し、前記下洗浄部は、被洗浄物を収納する下食器かごと、前記洗浄槽内の洗浄水を圧送する洗浄ポンプと、前記下食器かごの下方に設けられ前記洗浄ポンプと連通する下洗浄ノズルと、前記下洗浄部前方に設けられる扉体とを備え、前記上洗浄部は、被洗浄物を収納する上食器かごと、前記上食器かごの下方に設けられ前記洗浄ポンプと連通する上洗浄ノズルとを備え、前記上洗浄部と前記下洗浄部との間に設けられ、略鉛直方向に動作することで前記上洗浄部および前記下洗浄部の側面および背面を水封する水封体を備えた食器洗い機。
【請求項２】
前記水封体は、前記下洗浄部を前記本体に収納した際に下方に動作し水封する連動手段を備えた請求項１に記載の食器洗い機。
【請求項３】
前記連動手段は、前記下洗浄部を前記本体に収納した際に前記水封体を下方に動作させ、前記下洗浄部を前記本体から引き出した際に前記水封体を上方に動作させるリンク部で構成される請求項２に記載の食器洗い機。
【請求項４】
前記水封体は、前記下洗浄部を前記本体に収納する際に、前記下洗浄部の移動に伴って移動することにより前記連動手段を下方に動作させる連動部を備えた請求項２または３に記載の食器洗い機。
【請求項５】
前記水封体は断面形状が略コの字型に構成され、その上部および下部のそれぞれ下面で水封する請求項１〜４のいずれか１項に記載の食器洗い機。
【請求項６】
前記水封体は、前記下洗浄部との水封位置内側にリブを備えた請求項５に記載の食器洗い機。
【請求項７】
前記扉体は、前記扉体に隣接して設けられるとともに前記扉体と連動して前記上食器かごを摺動する上食器かご連動部を備えた請求項１〜６のいずれか１項に記載の食器洗い機。
【請求項８】
前記上食器かご連動部は、前記扉体と前記上食器かごとの連動と非連動とを切り替える切替手段を備えた請求項７に記載の食器洗い機。
【発明の詳細な説明】
【技術分野】
【０００１】
本発明は、食器等の被洗浄物の洗浄、すすぎを行う食器洗い機に関するものである。
【背景技術】
【０００２】
従来、洗浄槽が前後に摺動する引出し式の食器洗い機１０１において、上下に複数の洗浄部を備えたものは、図１０のように水平に摺動する下洗浄部１０２と、下洗浄部１０２上方に設けられ本体に固定される上洗浄部１０３から構成される。下洗浄部１０２は、水平に摺動する下洗浄槽１０４と、被洗浄物を収納する下食器かご１０５と、下食器かご１０５下方に設けられる下洗浄ノズル１０６から構成されている。下洗浄部１０２前方には扉体１０７が設けられている。扉体１０７は下洗浄部１０２と連動して水平に摺動する。上洗浄部１０３は、被洗浄物を収納する上食器かご１０８と、上食器かご１０８の下方に設けられる上洗浄ノズル１０９と、上洗浄ノズル１０９下方に設けられ上洗浄部１０３全体を覆う受板１１０から構成されている。また、上洗浄部１０３の前方開口部、食器洗い機１０１の背面内面および食器洗い機１０１の左右内側面にはガスケット１１１が設けられ、下洗浄部１０２を収納した際に下洗浄槽１０４および扉体１０７がガスケット１１１と当接し洗浄部を水封するよう構成されている（例えば、特許文献１参照）。
【０００３】
この構成では、扉体１０７を引き出すと下洗浄部１０２も連動して引き出されるため、少ない動作で被洗浄物の取り出しを行うことができ、使い勝手が良い。また、上下複数の食器かごを有するため、多くの食器を収納でき使い勝手がよい。
【先行技術文献】
【特許文献】
【０００４】
【特許文献１】特表２００３−５００１４５号公報
【発明の概要】
【発明が解決しようとする課題】
【０００５】
しかしながら、上記特許文献１の食器洗い機は、前方および背面のガスケット１１１（水封体）と下洗浄部１０２の摺動方向は垂直であるため、ガスケット１１１を垂直に圧縮するが、側面部のガスケット１１１は下洗浄部１０２の引き出し方向と略平行に設けられているため、ガスケット１１１にせん断力が働き、長期使用においては、ガスケット１１１の破損などの劣化が起こり、運転中に洗浄水が洗浄部外部に滴下する可能性がある。また、水封面が複数の面に亘って構成され、一連のガスケットでシールを行うため、各部品の精度によっては水封不良が起きる可能性が高いという課題があった。
【０００６】
本発明は、上記従来の課題を解決するもので、上洗浄部と下洗浄部との間に設けられ、略鉛直方向に動作することで上洗浄部および下洗浄部の側面および背面を水封する水封体を備えたことで水封の信頼性を向上させた、使い勝手の良い食器洗い機を提供することを目的としている。
【課題を解決するための手段】
【０００７】
洗浄槽は、前後に引き出し自在に設けられる下洗浄部と、前記下洗浄部の上方に設けられ本体に固定される上洗浄部とに分割構成し、前記下洗浄部は、被洗浄物を収納する下食器かごと、前記洗浄槽内の洗浄水を圧送する洗浄ポンプと、前記下食器かごの下方に設けられ前記洗浄ポンプと連通する下洗浄ノズルと、前記下洗浄部前方に設けられる扉体とを備え、前記上洗浄部は、被洗浄物を収納する上食器かごと、前記上食器かごの下方に設けられ前記洗浄ポンプと連通する上洗浄ノズルとを備え、前記上洗浄部と前記下洗浄部との
間に設けられ、略鉛直方向に動作することで前記上洗浄部および前記下洗浄部の側面および背面を水封する水封体を備えたものである。
【０００８】
上記従来の課題を解決するもので、上洗浄部と下洗浄部との間に設けられ、略鉛直方向に動作することで上洗浄部および下洗浄部の側面および背面を水封する水封体を備えたことにより、下洗浄部の摺動方向と水封の方向とを独立させ、洗浄槽の開口部を垂直な方向から水封することができる。したがって、パッキンにせん断応力を働かせずに、確実に水封することができるため、長期使用時における水封体の劣化を軽減させることができる。
【発明の効果】
【０００９】
本発明の食器洗い機は、上洗浄部と下洗浄部との間に設けられ、略鉛直方向に動作することで上洗浄部および下洗浄部の側面および背面を水封する水封体を備えたことにより、上洗浄部と下洗浄部の側面および背面の開口部を鉛直な方向から水封することができ、水封体のシール部材にせん断力を働かせず、洗浄槽外への水漏れを確実に防止することができるとともに、長期使用時における水封体の劣化を軽減させることができる食器洗い機を実現することができる。
【図面の簡単な説明】
【００１０】
【図１】本発明の実施の形態１の食器洗い機の側断面図
【図２】同食器洗い機の下洗浄槽を引き出した際の側断面図
【図３】同食器洗い機の正面断面図
【図４】同食器洗い機の水封体近傍の平面断面図
【図５】同食器洗い機の下洗浄槽を食器洗い機本体内に収納した状態における水封体近傍の要部拡大正面断面図
【図６】同食器洗い機の下洗浄槽を引き出した状態における水封体近傍の要部拡大正面断面図
【図７】同食器洗い機の水封体の連動部を示す側断面図
【図８】同食器洗い機の分水部の側断面図
【図９】同食器洗い機の分水部の平面図
【図１０】従来の食器洗い機の斜視図
【発明を実施するための形態】
【００１１】
第１の発明は、洗浄槽は、前後に引き出し自在に設けられる下洗浄部と、前記下洗浄部の上方に設けられ本体に固定される上洗浄部とに分割構成し、前記下洗浄部は、被洗浄物を収納する下食器かごと、前記洗浄槽内の洗浄水を圧送する洗浄ポンプと、前記下食器かごの下方に設けられ前記洗浄ポンプと連通する下洗浄ノズルと、前記下洗浄部前方に設けられる扉体とを備え、前記上洗浄部は、被洗浄物を収納する上食器かごと、前記上食器かごの下方に設けられ前記洗浄ポンプと連通する上洗浄ノズルとを備え、前記上洗浄部と前記下洗浄部との間に設けられ、略鉛直方向に動作することで前記上洗浄部および前記下洗浄部の側面および背面を水封する水封体を備えたものである。
【００１２】
この構成によって、上洗浄部と下洗浄部の側面および背面の開口部を鉛直な方向から水封することができ、水封体のシール部材にせん断力を働かせず、洗浄槽外への水漏れを確実に防止することができるとともに、長期使用時にける水封体の劣化を軽減させることができる。
【００１３】
第２の発明は、第１の発明において、前記水封体は、前記下洗浄部を前記本体に収納した際に下方に動作し水封する連動手段を備えたことで、下洗浄槽を収納した際に自動的かつ確実に下洗浄槽と上洗浄槽とを水封することができるため、水封の信頼性が向上する。
【００１４】
第３の発明は、第２の発明において、前記連動手段は、前記下洗浄部を前記本体に収納した際に前記水封体を下方に動作させ、前記下洗浄部を前記本体から引き出した際に前記水封体を上方に動作させるリンク部で構成されることにより、下洗浄槽と水封体との連動を簡易な構成で実現できる食器洗い機を提供できる。
【００１５】
第４の発明は、第２または第３の発明において、前記水封体は、前記下洗浄部を前記本体に収納する際に、前記下洗浄部の移動に伴って移動することにより前記連動手段を下方に動作させる連動部を備えたことにより、水封体自身で直接、下洗浄部の収納引き出し動作を検知するので、下洗浄槽と水封体との連動を簡易な構成でより確実に実現することができる。
【００１６】
第５の発明は、第１〜４の発明において、前記水封体は断面形状が略コの字型に構成され、その上部および下部のそれぞれ下面で水封することにより、洗浄槽の端部上面にパッキンを圧縮することができ、上洗浄槽と下洗浄槽とを確実に水封することができる。
【００１７】
第６の発明は、第５の発明において、前記水封体は、前記下洗浄槽との水封位置内側にリブを備えたことにより、洗浄ノズルから噴射された洗浄水が直接水封箇所に衝突することを防ぎ、水封の信頼性を向上させることができる。
【００１８】
第７の発明は、第１〜６の発明において、前記扉体は、前記扉体に隣接して設けられるとともに前記扉体と連動して前記上食器かごを摺動する上食器かご連動部を備えたものである。これにより、手元に近く使い勝手の良い上食器かごが、扉体と連動して前方に摺動するため、より使い勝手の良い食器洗い機を提供できる。
【００１９】
第８の発明は、第７の発明において、前記上食器かご連動部は、前記扉体と前記上食器かごとの連動と非連動とを切り替える切替手段を備えたため、使用者が主に上食器かごを使う場合と下洗浄槽に設けられた下食器かごを使う場合とによって、上食器かご連動か非連動かを選択することができ、使い勝手の良い食器洗い機を提供できる。
【００２０】
以下、本発明の実施の形態について、図面を参照しながら説明する。なお、本実施の形態によって本発明が限定されるものではない。
【００２１】
（実施の形態１）
図１〜図３に示すように、食器洗い機本体１（本体）内に、洗浄槽２が収納されている。洗浄槽２の前側全面には、扉体３が設けられている。また、食器洗い機本体１内には、洗浄槽２の下部に設けられる下洗浄部４と、洗浄槽２の上部に設けられ食器洗い機本体１に固定される上洗浄部５と、下洗浄部４と上洗浄部５とを水封する水封体４１を有する。
【００２２】
下洗浄部４は、前後方向に摺動可能に設けられ、上方に開口部を有する下洗浄槽６や、被洗浄物７を収納する下食器かご８、被洗浄物７を洗浄するための下洗浄ノズル９が設けられている。上洗浄部５には、食器洗い機本体１に略固定されている上洗浄槽１０や、被洗浄物７を収納する上食器かご１１、被洗浄物７を洗浄するための上洗浄ノズル１２が設けられている。さらに、上洗浄ノズル１２の下方には上洗浄部５の下面全体を覆う、前方に向かって下る方向に傾斜する受板１３が設けられている。
【００２３】
下洗浄槽６は食器洗い機本体１の左右両内側面に取り付けられた両固定レール１４と、両固定レール１４にそれぞれ滑動自在に装着された両可動レール１５とから構成されるスライドレール１６により前後方向に移動可能で、食器洗い機本体１の前方開口部から引き出すことができる。扉体３は下洗浄槽６の前面に固定して設けられ、下洗浄部４と連動して前後方向に移動する。
【００２４】
洗浄手段としての下洗浄ノズル９は、下洗浄槽６底面の略中央部に回転自在に設けられ、洗浄水の噴射の反力により回転する。下洗浄ノズル９には、洗浄水を噴射するための噴射孔９ａが上面に設けられている。下食器かご８は下洗浄ノズル９上方に設けられ、被洗浄物７を収納するものである。下食器かご８には、大皿類やまな板、なべといった大型の食器や調理器具が収納できるよう構成されている。また、下洗浄槽６の内底面の前面側コーナー最下部には凹形状の排水口１７が設けられている。
【００２５】
下洗浄槽６の略下面後方に配置された洗浄ポンプ１８は、洗浄水を加圧するものである。循環経路１９は、排水口１７から洗浄ポンプ１８に洗浄水を供給するための経路である。分水部２０は、洗浄ポンプ１８から送水された洗浄水を２経路に分水し、上洗浄ノズル１２と下洗浄ノズル９とに送水するためのものである。分水部２０は、下洗浄ノズル９に送水するための第１導水路２１と上洗浄ノズル１２に送水するための第２導水路２２とに接続している。
【００２６】
フィルタ２３は排水口１７上方もしくは内部に設けられており、被洗浄物７（食器）を洗浄する洗浄工程および被洗浄物７（食器）をすすぐすすぎ工程で、残さい（被洗浄物７（食器）に汚れとして付着していた食品を残さいという）を捕集する。下洗浄槽６内部には洗浄水を加熱する加熱手段２５（例えばシーズヒータなど）が設けられている。
【００２７】
上洗浄槽１０は、下洗浄槽６が食器洗い機本体１内に収納されている際に、下洗浄槽６を上方から覆うように形成され、前方が開口している。上洗浄槽１０は側面に設けられた複数の固定部２６によって、食器洗い機本体１に略固定されている。上洗浄槽１０の前方開口部１０ａには、全周に亘ってガスケット５２が設けられ、下洗浄槽６が食器洗い機本体１内に収納された際に扉体３と上洗浄槽１０の前方開口部１０ａが水封される。
【００２８】
上食器かご１１は、上洗浄槽１０内に設けられ、被洗浄物７を収納するものである。上食器かご１１は、上洗浄槽１０の左右両内側面に取り付けられた両固定ローラ２８と、両固定ローラ２８にそれぞれ滑動自在に装着された両上食器かご可動レール２９とから構成される上食器かごレール３０により前後方向に移動可能で、上洗浄槽１０の前方開口部１０ａから食器洗い機本体１の前方へ引き出すことができるように構成されている。上食器かご１１には、例えば茶碗や直径２０ｃｍ以下の中皿類などの小型食器が収納できるように構成されている。
【００２９】
上洗浄ノズル１２は、上食器かご１１の中央部下方に回転自在に設けられ、洗浄水の噴射の反力により回転する。上洗浄ノズル１２にも下洗浄ノズル９同様に洗浄水を噴射するための噴射孔１２ａが上面に設けられている。略水平前後方向に設けた上部導水路３１は上洗浄ノズル１２に洗浄水を送水するためのもので、第２導水路２２と上洗浄ノズル１２とを接続する。上部導水路３１は、受板１３下面に受板１３に固定して設けられている。
【００３０】
上部導水路３１は、上洗浄ノズル１２の下面略中央部で上方に屈曲し、上洗浄ノズル１２の下面に設けられた軸部と接続する。軸部側の上部導水路３１端部は、軸部より径大になるよう構成されており、上洗浄ノズル１２は軸部を中心に回転自在である。また、上部導水路３１は、下洗浄槽６を食器洗い機本体１内に収納した際に第２導水路２２と嵌合連通し、下洗浄槽６を引き出した際に外れて連通解除されるよう構成されている。
【００３１】
受板１３の前方には、受板開口部１３ａが設けられている。下洗浄部４を食器洗い機本体１内に収納した際に受板１３と扉体３とが接触しないように受板１３は構成される。
【００３２】
扉体３内壁の上部には、鍵形状の上食器かご連動部３２が設けられ、上食器かご１１の
一部が係合され、下洗浄槽６と上食器かご１１とが連動して摺動可能に構成している。上食器かご連動部３２は下洗浄槽６の内壁と一体に成形されている。また、切替手段３２ａが上食器かご連動部３２近傍に設けられ、上食器かご１１と下洗浄槽６および扉体３との連動と非連動とを切り替えることができる。切替手段３２ａは、例えば可倒式になっており、図２に示すように切替手段３２ａを直立させている場合には、上食器かご１１は下洗浄槽６の動作に連動し、切替手段３２ａを倒している場合には、上食器かご１１は下洗浄槽６の動作に連動しない。
【００３３】
洗浄槽２内の洗浄水は給水弁３３から上洗浄槽１０に給水され、下洗浄部４に設けられる排水手段３４により、排水経路３４ａを経て食器洗い機本体１外に排水されるものである。排水経路３４ａは、一部が食器洗い機本体１背面に設けられたパンタグラフ（図示せず）に収納され、端部は食器洗い機本体１外に設けられている。下洗浄槽６背面に設けられた送風手段３５は、食器洗い機の乾燥工程などで動作して、外気を吸い込み、送風経路３６を経て洗浄槽２内に供給され、洗浄槽２の天面または側壁に設けられた排気口３７より排気することで、洗浄槽２内の被洗浄物７（食器）を乾燥させる。
【００３４】
温度検知手段３８は、洗浄槽２内の洗浄水、空気および加熱手段２５の温度を検知するものである。制御手段３９は、給水弁３３が洗浄槽２内に洗浄水を供給するのを制御したり、温度検知手段３８の出力に基づいて加熱手段２５を制御したりするとともに、洗浄ポンプ１８、給水弁３３、排水手段３４、送風手段３５等を制御して、洗浄、すすぎ、乾燥の一連の工程を逐次制御するよう構成している。
【００３５】
この食器洗い機は、図１に示すように、キッチンキャビネットＡ内にビルトインするのが基本的な設置形態である。上記構成において動作、作用を説明すると、使用者が食器洗い機本体１から扉体３を引き出すと、連動して下洗浄槽６が引き出される。さらに、下洗浄槽６の内壁面に取り付けられた上食器かご連動部３２に係合された上食器かご１１も同時に引き出される。使用者は、まず上食器かご１１に小型の被洗浄物７（食器）を配置する。続いて大型の被洗浄物７（食器）など残りの被洗浄物７（食器）を下食器かご８に収納するため、上食器かご１１を後方に摺動させる。具体的には、上食器かご１１の前方部を上方に持ち上げ後方にずらすことで上食器かご連動部３２との係合を解除し、上食器かご連動部３２から上食器かご１１を外す。上食器かご連動部３２から外された上食器かご１１を後方に摺動させ、上洗浄槽１０内に収納する。
【００３６】
この際、上食器かご１１に収納された被洗浄物７（食器）に付着した残さい（液体物や固形物など）は、一部被洗浄物７下側縁部から下方に落下する。落下した残さいは、受板１３もしくは上洗浄ノズル１２上に落下し回収される。なお、受板１３が無い場合、残さいは、食器洗い機本体１底面に落下するため、臭いの原因や食器洗い機本体１の腐食の原因となってしまう。受板１３および上洗浄ノズル１２上に落下した残さいは、運転開始後、洗浄水の流れによって、受板１３前方の受板開口部１３ａから下洗浄槽６内に落下し、フィルタ２３に回収される。
【００３７】
使用者は、洗剤を下洗浄槽６に投入した後、下洗浄槽６を後方に摺動させ食器洗い機本体１内に収納する。この際、上食器かご１１の前方部は再度上食器かご連動部３２に係合され、再度扉体３を引き出す際には上食器かご１１が連動して引き出される。
【００３８】
使用者が運転を開始すると、まず排水手段３４が動作して、前回の運転等で下洗浄槽６内に残っている洗浄水（残水と呼ぶ）を食器洗い機本体１外へ排出する。次に、給水弁３３が動作して所定量の洗浄水を洗浄槽２に供給する。所定量の洗浄水が供給されると、排水口１７から洗剤とともに循環経路１９内に設けられた洗浄ポンプ１８に供給された洗浄水が、洗浄ポンプ１８により加圧され、分水部２０で第１導水路２１と第２導水路２２と
に分水される。第１導水路２１に送水された洗浄水は、下洗浄ノズル９に送られる。第２導水路２２に送水された洗浄水は、上部導水路３１を経て上洗浄ノズル１２に送られる。それぞれの洗浄ノズルに送水された洗浄水は、上洗浄ノズル１２および下洗浄ノズル９に設けた噴射孔１２ａおよび９ａから噴射される。
【００３９】
上洗浄ノズル１２から噴射され、被洗浄物７を洗浄した洗浄水は、受板開口部１３ａから下洗浄部４に落下し、下洗浄ノズル９から噴射された洗浄水とともに排水口１７に回収され、循環経路１９を介して洗浄ポンプ１８に再び送水される。こうして洗浄工程が行われる。この洗浄工程では下洗浄槽６内に設けた加熱手段２５に通電して、洗浄水を洗浄所定温度まで加熱する。
【００４０】
洗浄工程が所定時間行われると、排水手段３４が被洗浄物７（食器）から洗い落とされた汚れを含む洗浄水を食器洗い機本体１外へ排出する。そして、新たに給水弁３３が洗浄水を供給し、上洗浄ノズル１２および下洗浄ノズル９に設けた噴射孔１２ａおよび９ａから再び洗浄水が噴射されて、洗剤や残さい等で汚れた被洗浄物７（食器）をすすぐ、すすぎ工程を実行する。
【００４１】
このすすぎ工程が終わると、洗浄水を再び食器洗い機本体１外へ排出する。このすすぎ工程は連続して数回繰り返される。そして、加熱手段２５により洗浄水を所定温度（例えば６０℃）まで加熱して被洗浄物７（食器）をすすぐ加熱すすぎ工程を複数回行われるすすぎ工程の最後に行う。なお、洗浄およびすすぎ工程において、残さいは下洗浄槽６に設けたフィルタ２３内に捕集される。
【００４２】
加熱すすぎ工程が終了すると乾燥工程が開始する。この工程では、送風手段３５が動作して外気が送風経路３６を介して下洗浄槽６内へ送り込まれる。送風口４０から下洗浄槽６内に送り込まれた空気は送風口４０の近傍（下流方向）に設けられた加熱手段２５により加熱された後、被洗浄物７（食器）を乾燥させて排気口３７より食器洗い機本体１の外に排気される。乾燥工程終了後、運転を終了する。
【００４３】
このように構成された本実施の形態において特徴ある構成である、リンク部４２（連動手段）を備えた水封体４１近傍の構成を以下に詳述する。図４〜７に示すように、水封体４１は、平面視で食器洗い機本体１の前方側が切り欠かれたコの字型形状に構成され、食器洗い機本体１の左右両内側部に設けられたリンク部４２と、上部に複数設けられたバネ部４３とによって食器洗い機本体１に対し移動可能に取り付けられている。水封体４１は、断面が略コの字型形状をなすパッキン固定部４４と、パッキン固定部４４の上部下面に設けられるシール部材である上部パッキン４５と、パッキン固定部４４の下部下面に設けられるシール部材である下部パッキン４６と、下部パッキン４６に洗浄水が直接噴射されることを防ぐリブ４７から構成されている。
【００４４】
リンク部４２は、直線型の形状で構成され、一端が食器洗い機本体１に回転自在に固定され、もう一端が水封体４１に回転自在に固定され、前後左右計４箇所に設けられている。これにより水封体４１と食器洗い機本体１とを略固定し、水封体４１が略鉛直方向に摺動可能に構成している。バネ部４３は、上端が上洗浄槽１０に、下端がパッキン固定部４４に固定され、水封体４１を吊り下げている。上部パッキン４５および下部パッキン４６は、ゴム等の可撓性を有する材料で中空に構成され、水封体４１全周にわたって設けられている。リブ４７は、パッキン固定部４４の下部下面から内側下方に下部パッキン４６を内側から覆うように水封体４１全周にわたって延設され、下洗浄槽６を食器洗い機本体１内に収納した状態で、下洗浄槽６の内壁上部を内側から覆うように構成されている。
【００４５】
また、パッキン固定部４４は樹脂製で、図７に示すように、背面側に連動部４８が一体
に設けられ、下洗浄槽６を食器洗い機本体１内に収納する際、下洗浄槽６の背面が連動部４８を後方に押すように構成される。また、下洗浄槽６の上端および上洗浄槽１０の下端は、食器洗い機本体１内に収納した状態で下部パッキン４６および上部パッキン４５がそれぞれ当接押圧されるつば部６ｂ、１０ｂを外側に向けて設けた略Ｌ字型形状で構成されている。
【００４６】
図５および図６を参照して、リンク部４２（連動手段）を備えた上記水封体４１近傍の構成について、その動作、作用を以下に詳述する。
【００４７】
前述したように、使用者が被洗浄物７を収納した後、下洗浄槽６を後方に摺動させ、食器洗い機本体１内に収納する。この際、下洗浄槽６の背面上部が、水封体４１背面の連動部４８を後方に押すこととなる。後方への外力を受けた水封体４１は、リンク部４２の端部を中心に回転運動を行い、略鉛直方向に下降動作する。図５に示すように、下洗浄槽６のつば部６ｂの内壁側部６ａと、上洗浄槽１０のつば部１０ｂの外側部１０ｃとを垂直な方向から押さえ込むことで上部パッキン４５および下部パッキン４６とが圧縮され、下洗浄槽６の上部および上洗浄槽１０の下部の開口部を水封する。そして、この状態で下洗浄槽６は、例えばロック機構によって、食器洗い機本体１に固定され、前方引き出し方向への移動を規制される。
【００４８】
また、食器洗い機の運転が終了し、使用者が下洗浄槽６を前方に引き出した場合、連動部４８に働いていた外力がなくなり、図６に示すように、バネ部４３の張力によって水封体４１は上方に移動する。ここで本実施の形態の構成によれば、下部パッキン４６の下洗浄槽６のつば部６ｂからの当接解除動作は、従来例のような略水平方向ではなく、略鉛直方向となるので、下部パッキン４６が下洗浄槽６と接触しせん断応力を受け、長期使用において破損などの劣化が起こることはない。
【００４９】
なお、食器洗い機運転中に、下洗浄ノズル９から噴射された洗浄水が連続して下部パッキン４６に衝突した場合、下部パッキン４６と下洗浄槽６の隙間を洗浄水が浸透し、洗浄槽２外に洗浄水が漏れる可能性があるが、リブ４７を設けたことにより、その可能性を低減し、さらに水封性能を向上させることができる。なお、リブ４７は、下洗浄槽６摺動時に下洗浄槽６と接触しないよう、構成されている。
【００５０】
なお、本実施の形態では水封体４１および下洗浄槽６の側面を水平に構成しているが、水封体４１を略鉛直方向に動作させる構成でさえあれば、斜めでも同様の効果を奏することができる。
【００５１】
また、本実施の形態では、下洗浄槽６の摺動と水封体４１の動作とを連動させる連動手段はリンク部４２とバネ部４３によって構成されているが、マイクロスイッチとアクチュエータを用い下洗浄槽６の動作を検知して水封体４１を動作させる連動手段（図示せず）でもよい。また、本実施の形態ではバネ部４３の上端を上洗浄槽１０に固定しているが、食器洗い機本体１に固定してもよい。
【００５２】
また、図８および図９に示すように、分水部２０は、洗浄ポンプ１８から吐出された洗浄水を下洗浄ノズル９と上洗浄ノズル１２とに流れる水量を変化させるための構成をしていることが望ましい。具体的には、分水部２０内部に第１導水路２１と第２導水路２２とに流れる洗浄水量割合を変化させるためのセパレータ５０が配設されている。セパレータ５０は、出水口５０ａ近傍に隣接して設けられた円盤状の樹脂成形部品で、複数の開孔部５０ｂを有する。セパレータ５０は、略中央部が分水モータ５１と接続され、回転自在である。セパレータ５０の停止位置によって第１導水路２１と第２導水路２２とに流れる洗浄水量割合が変化し、どちらか一方のみに洗浄水を送ることも可能である。なお、セパレ
ータ５０の位置は、位置センサ（図示せず）によって判断することができる。
【００５３】
この構成を設けた場合、使用者は、操作部に設けられたコース設定ボタンを押し、運転コースを指定できる。ここでは、上食器かご１１のみを洗浄する上食器かご洗浄コース、下食器かご８のみの下食器かご洗浄コース、上下ともに洗浄する上下かご洗浄コースなどのコースが設けられている。
【００５４】
運転コースを指定し、食器洗い機の運転を開始すると、排水手段３４が所定時間動作した後、給水弁３３が動作して所定量の洗浄水を下洗浄槽６に供給する。所定量の洗浄水が供給されると、設定されたコースに基づき、分水部２０に設けられた分水モータ５１が動作し、セパレータ５０が回転する。上食器かご洗浄コースが指定されている場合には、セパレータ５０の開孔部５０ｂと第２導水路２２への出水口５０ａとが一致し、第１導水路２１を塞ぐ位置でセパレータ５０は停止する。同様に、下食器かご洗浄コースの場合は、第１導水路２１にのみ洗浄水を供給する位置でセパレータ５０は停止する。上下かご洗浄コースの場合は、第１導水路２１および第２導水路２２に洗浄水を供給できるようセパレータ５０を回転した後、その位置で停止させる。
【００５５】
これにより、被洗浄物７（食器）の量に応じて必要最低限の場所のみ洗浄水を供給し洗浄することができるため、消費電力量や使用水量といったランニングコストの削減を実現できる。
【産業上の利用可能性】
【００５６】
本発明の食器洗い機は、上洗浄部および下洗浄部と独立して側面および背面に設けられ鉛直方向に動作する水封体を備えたことで、使い勝手が良く洗浄槽外への水漏れを確実に防止することができるため、キッチンで使用される家庭用の食器洗い機等として有用である。
【符号の説明】
【００５７】
１  食器洗い機本体（本体）
２  洗浄槽
３  扉体
４  下洗浄部
５  上洗浄部
６  下洗浄槽
８  下食器かご
９  下洗浄ノズル
１０  上洗浄槽
１１  上食器かご
１２  上洗浄ノズル
１３  受板
１８  洗浄ポンプ
３２  上食器かご連動部
４１  水封体
４２  リンク部（連動手段）
４４  パッキン固定部
４５  上部パッキン
４６  下部パッキン
４７  リブ
４８  連動部
【図１】
0005594158.tif 000002
【図２】
0005594158.tif 000003
【図３】
0005594158.tif 000004
【図４】
0005594158.tif 000005
【図５】
0005594158.tif 000006
【図６】
0005594158.tif 000007
【図７】
0005594158.tif 000008
【図８】
0005594158.tif 000009
【図９】
0005594158.tif 000010
【図１０】
0005594158.tif 000011